(57)【要約】【課題】収納空間を仕切りで仕切ることで収納物品を分けて収納でき、しかも、仕切りによって仕切られた空間よりも大きな収納物品を収納できるようにする。【解決手段】  収納物を収納するための収納空間が側壁３に囲まれて構成されるとともに、この収納空間を仕切る仕切り５が側壁間に形成された袋１であって、前記仕切り５は、収納空間を仕切る仕切状態と、この仕切状態を解除した解除状態とに状態を変更可能に構成されている。【選択図】図１
2010018311.tif 000002
【特許請求の範囲】
【請求項１】
収納物を収納するための収納空間が側壁に囲まれて構成されるとともに、この収納空間を仕切る仕切りが側壁間に形成された袋であって、
前記仕切りは、収納空間を仕切る仕切状態と、この仕切状態を解除した解除状態とに状態を変更可能に構成されてなることを特徴とする袋。
【請求項２】
収納物を収納するための収納空間が側壁に囲まれて構成されるとともに、この収納空間を仕切る仕切りが側壁間に形成され、この仕切りが、収納空間を仕切る仕切状態と、この仕切状態を解除した解除状態とに状態を変更可能に構成されてなる袋を製造する袋の製造方法であって、
袋の側壁を形成するための複数の側壁形成部と、袋の底部を形成するための複数の底部形成部と、仕切りを形成するための仕切り形成部とを備えた袋形成用台紙を、各側壁形成部および各底部形成部ごとに折り曲げ、所定位置で接合することによって袋を形成することを特徴とする袋の製造方法。
【発明の詳細な説明】
【技術分野】
【０００１】
本発明は、物品を収納可能な袋およびその製造方法に関する。
【背景技術】
【０００２】
例えば、飲食品その他の物品を購入等した場合に使用される袋には、通常、紙製で折り畳み自在とされたものが用いられる。この袋には底部と側壁によって内側に所定の大きさの収納空間が構成されている。
【発明の開示】
【発明が解決しようとする課題】
【０００３】
従来の袋では、袋内に複数の物品が収納される場合に、収納空間において複数の物品が混入することになり、各物品の出し入れが煩雑となるおそれがあった。さらに、収納空間の大きな袋内に、飲料を入れた容器を収納した場合、この容器が倒れて内容物が流出するおそれがあった。
【０００４】
このようなことを防止するには、例えば、既製の袋の内部に仕切りを設けて所定の種類の物品ごとに分けて収納することが望ましい。しかしながら、袋を常に仕切りで仕切っている状態では、大きな物品を収納したい場合に、仕切りが邪魔になって収納できない場合もある。
【０００５】
本発明は上記の事情に鑑みてなされたものであり、収納空間を仕切りで仕切ることで収納物品を分けて収納でき、しかも、仕切りによって仕切られた空間よりも大きな収納物品を収納できるようにした袋、およびこの袋を効率良く製造できる製造方法を提供することを課題とする。
【課題を解決するための手段】
【０００６】
本発明は上記の課題を解決するために以下の技術的手段を講じた。
【０００７】
すなわち、本発明は、収納物を収納するための収納空間が側壁に囲まれて構成されるとともに、この収納空間を仕切る仕切りが側壁間に形成された袋であって、前記仕切りは、収納空間を仕切る仕切状態と、この仕切状態を解除した解除状態とに状態を変更可能に構成されてなることを特徴とする。
【０００８】
かかる構成によれば、仕切りが袋の収納空間を仕切る仕切状態と、この仕切状態を解除した解除状態とに状態を変更できることから、仕切状態では、複数の収納物品を分けて収納することができる。そして、この仕切状態から解除状態に状態を変更すれば、袋の収納空間が元に戻り、仕切状態において仕切られていた空間には入らないような大きな物品をも収納できるようになる。
【０００９】
また、本発明は、収納物を収納するための収納空間が側壁に囲まれて構成されるとともに、この収納空間を仕切る仕切りが側壁間に形成され、この仕切りが、収納空間を仕切る仕切状態と、この仕切状態を解除した解除状態とに状態を変更可能に構成されてなる袋を製造する袋の製造方法であって、袋の側壁を形成するための複数の側壁形成部と、袋の底部を形成するための複数の底部形成部と、仕切りを形成するための仕切り形成部とを備えた袋形成用台紙を、各側壁形成部および各底部形成部ごとに折り曲げ、所定位置で接合することによって袋を形成することを特徴とする。
【００１０】
かかる袋の製造方法によれば、袋を形成する前の袋形成用台紙に側壁形成部、底部形成部、および仕切形成部を形成しておき、この袋形成用台紙を折り曲げ、所定位置で接合することによって、最終的に完成された袋には、その収納空間を仕切る仕切りが既に形成された状態となっており、これによって、袋を形成した後に、その内部に仕切りを取り付けるといった煩雑な作業を省略することができ、複数の物品を分けて収納可能な袋を効率よ
製造することができる。
【発明の効果】
【００１１】
本発明によれば、袋の収納空間を仕切りで仕切ることで収納物品を分けて収納できるとともに、仕切りによって仕切られた空間よりも大きな物品を収納できるようになる。
【発明を実施するための最良の形態】
【００１２】
以下、本発明に係る袋およびこの袋の製造方法を実施するための最良の形態を、図面に基づき説明する。
【００１３】
図１〜図８は、本発明に係る袋および袋の製造方法の第１実施形態を示している。本実施形態において、袋１は、図１、図２に示すように、所定の形状に構成された紙製の袋形成用台紙２を所定の形状に折り曲げ、所定位置で貼り合わせることによって、内部の収納空間を形成する側壁３（３ａ〜３ｄ）および底部４、そして、内部の収納空間を仕切る仕切り５を備えて形成される。袋形成用台紙２は、袋１の側壁３（３ａ〜３ｄ）を形成するための複数の側壁形成部１１〜１４と、袋１の底部４を形成するための複数の底部形成部２１〜２６と、袋１内の収納空間を仕切る仕切り５を形成するための仕切形成部１８を備える。
【００１４】
本実施形態では、袋形成用台紙２は四角形状、より具体的には長方形状に構成されている。また、袋形成用台紙２には、４つの側壁形成部１１〜１４が並設されている。以下、各側壁形成部１１〜１４のそれぞれを、順に、第１側壁形成部１１ないし第４側壁形成部１４という。各側壁形成部１１〜１４は、図２に示すように、長方形状に構成されている。
【００１５】
第１側壁形成部１１の幅は、これと隣り合う第２側壁形成部１２の幅よりも大きくなっている。また、第２側壁形成部１２の幅は、これと隣り合う第３側壁形成部１３の幅よりも小さくなっている。また、第３側壁形成部１３の幅は、第４側壁形成部１４との幅よりも大きくなっている。本実施形態では、第１側壁形成部１１の幅と第３側壁形成部１３の幅とが等しくされ、第２側壁形成部１２と第４側壁形成部１４の幅が等しくされている。
【００１６】
なお、これらの側壁形成部１１〜１４が並べられている方向を「横方向」という。また、各側壁形成部１１〜１４の長手方向に直交する方向を「幅方向」という。この幅方向と横方向は同じ方向であるが、主として袋形成用台紙２を基準としたときに、「横方向」の語を用い、側壁形成部１１〜１４その他の要素については、「幅方向」の語を用いて説明する。
【００１７】
第４側壁形成部１４の端部には、この第４側壁形成部１４を他の側壁形成部（例えば第１側壁形成部１１）に接合するための接合部（以下「第１接合部」という）３１が形成されている。また、各側壁形成部１１〜１４間には、これら側壁形成部１１〜１４を区切る境界線（以下「第１境界線」という）Ａが設けられている。また、第１側壁形成部１１と第１接合部３１との間には、これらを区切る境界線（以下「第２境界線」という）Ｂが設けられている。
【００１８】
仕切形成部１８は、その幅方向の一端部が、第１側壁形成部１１の幅方向の端部に一体に形成されている。また、この仕切形成部１８の幅方向の他端部には、他の側壁形成部に接合される接合部（以下「第２接合部」という）３２が一体に形成されている。この仕切形成部１８と第１側壁形成部１１との間には、この第１側壁形成部１１と仕切形成部１８とを区切る境界線（以下「第３境界線」という）Ｃが設けられている。また、仕切形成部１８と第２接合部３２との間には、これらを区切る境界線（以下「第４境界線」という）Ｄが設けられている。
【００１９】
また、この仕切形成部１８は、図２に示すように、長方形状とされており、その長手方向における長さは、各側壁形成部１１〜１４の長手方向の長さと等しくなっている。また、この仕切形成部１８の中途部には、貫通孔や開口部等が設けられていてもよい。
【００２０】
仕切形成部１８は、その幅方向の中途部の境界線（以下「第５境界線」という）Ｅを介して２分されている。以下、この仕切形成部１８において第５境界線Ｅによって分けられた一方の部分を第１の部分１８ａといい、他方の部分を第２の部分１８ｂという。
【００２１】
仕切形成部１８の第１の部分１８ａは、第２接合部３２と第２の部分１８ｂとの間に形成されている。また、仕切形成部１８の第２の部分１８ｂは、第１の部分１８ａと第１側壁形成部１１との間に形成されている。
【００２２】
底部形成部２１〜２６は、各側壁形成部１１〜１４の長手方向の一端部側、および仕切形成部１８の長手方向の一端部側に設けられている。本実施形態では、袋形成用台紙２に６つの底部形成部２１〜２６が設けられており、第１側壁形成部１１ないし第４側壁形成部１４のそれぞれ、および第１の部分１８ａ、第２の部分１８ｂに対応して１つずつ設けられている。以下、各底部形成部２１〜２６を、第１底部形成部２１ないし第６底部形成部２６という。
【００２３】
図２に示すように、袋形成用台紙２の横方向の端部に形成される第１底部形成部２１と第６底部形成部２６とには、これら以外の他の底部形成部と接合される接合部（以下「第３接合部」という）３３が形成されている。また、第３接合部３３と第２接合部３２との間、および第３接合部３３と第１接合部３１との間には、これらを区切る境界線（以下「第６境界線」という）Ｆが形成されている。また、この第３接合部３３と第１底部形成部２１との間、および、第３接合部３３と第６底部形成部２６との間には、これらを区切る境界線（以下「第７境界線」という）Ｇが形成されている。
【００２４】
各底部形成部２１〜２６間には、これらの底部形成部２１〜２６のそれぞれを区切る境界線（以下「第８境界線」という）Ｈが設けられている。また、第３底部形成部２３ないし第６底部形成部２６と、各側壁形成部１１〜１４との間には、これらを区切る境界線（以下「第９境界線」という）Ｉが設けられている。図２に示すように、第９境界線Ｉは、第１境界線Ａと一致しており、両者は同一の直線として表されている。したがって、各側壁形成部１１〜１４の幅と、これに対応する各底部形成部２３〜２６の幅は等しくなっている。
【００２５】
さらに、第１底部形成部２１と第１の部分１８ａとの間、および第２底部形成部２２と仕切形成部１８の第２の部分１８ｂとの間には、これらを区切る境界線（以下「第１０境界線」という）Ｊが設けられている。第１０境界線Ｊの位置には、第１の部分１８ａおよび第２の部分１８ｂと、第１底部形成部２１、第２底部形成部２２とを分離するように、この第１０境界線Ｊに沿って（一致するように）切れ込み６が入れられている。
【００２６】
以下、上記構成の袋形成用台紙２を用いて袋１を製造する方法を説明する。
【００２７】
まず、袋形成用台紙２を第１境界線Ａおよび第２境界線Ｂに沿って所定の形状に折り曲げる。すなわち、図３、図４に示すように、第１側壁形成部１１と第２側壁形成部１２とがほぼ直角となるように、その間の第１境界線Ａの位置で折り曲げ、さらに、第２側壁形成部１２と第３側壁形成部１３がほぼ直角となるように、その間の第１境界線Ａの位置で折り曲げる。このようにすることで、第１側壁形成部１１と第２側壁形成部１２と第３側壁形成部１３とは、図３に示すように、平面視でコの字状となるように折り曲げられる。
【００２８】
このとき、第１側壁形成部１１に対応する第３底部形成部２３と、第２側壁形成部１２に対応する第４底部形成部２４とがほぼ直角となるように、その間の第８境界線Ｈの位置で折り曲げられる。同様に、第２側壁形成部１２に対応する第４底部形成部２４と、第３側壁形成部１３に対応する第５底部形成部２５とがほぼ直角となるように、その間の第８境界線Ｈの位置で折り曲げられる。
【００２９】
そして、第１側壁形成部１１と仕切形成部１８の第２の部分１８ｂとがほぼ直角となるように、その間の第２境界線Ｂの位置で折り曲げられる。また、仕切形成部１８の第１の部分１８ａと第２の部分１８ｂとがほぼ直角となるように、その間の第５境界線Ｅの位置でこれに沿って折り曲げられる。このようにすることで、第１側壁形成部１１と第１の部分１８ａと第２の部分１８ｂとは、図３に示すように、平面視でコ字状となるように折り曲げられる。
【００３０】
このとき、第１側壁形成部１１に対応する第３底部形成部２３と、仕切形成部１８の第２の部分１８ｂに対応する第２底部形成部２２とがほぼ直角を為すように、その間の第８境界線Ｈの位置で折り曲げられる。また、仕切形成部１８の第１の部分１８ａに対応する第１底部形成部２１と、第２の部分１８ｂに対応する第２底部形成部２２とがほぼ直角を為すように、その間の第８境界線Ｈの位置で折り曲げられる。
【００３１】
そして、仕切形成部１８の第１の部分１８ａおよび第２の部分１８ｂが、第３側壁形成部１３および第４側壁形成部１４に囲まれるように、第３側壁形成部１３に対して第４側壁形成部１４をその間の第１境界線Ａに沿って、ほぼ直角に折り曲げられる。同様に、第４側壁形成部１４に対応する第６底部形成部２６が、第３側壁形成部１３に対応する第５側壁形成部２５に対してほぼ直角となるように折り曲げられる。そして、この第４側壁形成部１４を第２の部分１８ｂの外面に重ね、第６底部形成部２６を、仕切形成部１８の第２の部分１８ｂに対応している第２底部形成部２２に重ねる。
【００３２】
さらに、第１接合部３１が第４側壁形成部１４に対してほぼ直角となるように、これらの間の第２境界線Ｂの位置で折り曲げられる。同様に、第６底部形成部２６側の第３接合部３３が、この第６底部形成部２６とほぼ直角となるように、その間の第７境界線Ｇの位置で折り曲げられる。
【００３３】
次に、第４側壁形成部１４の端部に形成されている第１接合部３１に接着剤を塗布するとともに、この第１接合部３１を第１側壁形成部１１に重ねて接合・接着する。同様に、第６底部形成部２６側の第３接合部３３に接着剤を塗布するとともに、この第３接合部３３を第１側壁形成部１１に対応する第３底部形成部２３の一方の面（外面）に接合・接着する。
【００３４】
このようにすることで、第１側壁形成部１１と第４側壁形成部１４とが第１接合部３１を介して繋がれ、第３底部形成部２３と第６底部形成部２６とが第３接合部３３を介して繋がれることとなる。これによって、袋形成用台紙２は、第１側壁形成部１１ないし第４側壁形成部１４、および第３底部形成部２３ないし第２６底部形成部２６によって筒状（四角筒状）に構成される。
【００３５】
なお、このとき、第２境界線Ｂと第３境界線Ｃとが一致した状態となり、第６底部形成部２６と第３接合部３３との間の第７境界線Ｇと、第２底部形成部２２と第３底部形成部２３との間の第８境界線Ｈとが一致した状態となっている。
【００３６】
次に、第１の部分１８ａの端部に形成されている第２接合部３２に接着剤を塗布し、第３側壁形成部１３の一方の面（内面）に接合・接着する。このとき、第１の部分１８ａと第２の部分１８ｂとがほぼ直角をなし、それぞれ第３側壁形成部１３、第４側壁形成部１４に接した状態にして、第２接合部３２を第３側壁形成部１３の内面に接合させる。
【００３７】
同様に、第１底部形成部２１側の第３接合部３３に接着剤を塗布し、この第３接合部３３を、第３側壁形成部１３に対応する第５底部形成部２５の一方の面（内面）に接合・接着する。これによって、袋形成用台紙２は、第１底部形成部２１と第３底部形成部２３とが重なり、第２底部形成部２２と第６底部形成部２６とが重なった状態となる。
【００３８】
そして、最終的にできあがった袋１が折り畳み可能となるように、第２側壁形成部１２（第２側壁３ｂ）と、第４側壁形成部１４（第４側壁３ｄ）と、この第４側壁形成部１４に重なっている仕切形成部１８の第２の部分１８ｂを折り曲げる。具体的には、図５に示すように、第２側壁形成部１２、第４側壁形成部１４、および仕切形成部１８の第２の部分１８ｂにおいて、その幅方向の中心位置を通り、これらの側壁形成部１２，１４の長手方向に沿う直線に沿って、これらの側壁形成部１２，１４が対向する対向方向の内側に凹むように各側壁形成部１２，１４を折り曲げ、前記第２の部分１８ｂと第４側壁形成１４と同じように折り曲げる。
【００３９】
また、第２側壁形成部１２に対応して設けられた第４底部形成部２４と、第４側壁形成部１４に対応して設けられた第６底部形成部２６と、この第６底部形成部２６と重なっている第２底部形成部２２とを、その幅方向の中心を通る直線に沿って、第２側壁形成部１２、第４側壁形成部１４と同様に折り曲げる。これにより、筒状にされた袋形成用台紙２を図５に示す如く、第１側壁形成部１１と第３側壁形成部とが接触するように折り畳むことができるようになる。
【００４０】
次に、底部形成部２１〜２６のそれぞれを、第９境界線Ｉに沿って、所定の形状に折り曲げ、所定位置で接合することによって、袋１の底部４を形成する。具体的には、まず、袋形成用台紙２を折り畳むことにより、折り重なった第１底部形成部２１ないし第６底部形成部２６を、第９境界線Ｉに沿ってまとめて折り曲げ、さらに、第４底部形成部２４と第６底部形成部２６、およびこの第６底部形成部２６と重なっている第２底部形成部２２とを、これらが対向する対向方向（第４底部形成部と第６底部形成部とが対向する方向）の内方に折り曲げ、折り目をつける（図５、図６参照）。
【００４１】
このとき、図６に示すように、第４底部形成部２４と第６底部形成２６との間の、第３底部形成部２３と第５底部形成部２５の２箇所に、袋１の底部４を塞ぐための閉塞部３５が形成される。この２つの閉塞部３５を、図７に示すように、互いに重なり合うように折り曲げ、これらの閉塞部３５同士、および閉塞部３５と第４底部形成部２４、第６底部形成部２６の折り曲げられた部分とを接着する。
【００４２】
以上により、筒状にされた袋形成用台紙２の一端部に底部４が形成され、これによって、袋１が完成する。なお、完成した袋１には、第１側壁形成部１１によって、第１側壁３ａが構成され、同じように、第２側壁形成部１２ないし第４側壁形成部１４のそれぞれによって、第２側壁部３ｂないし第４側壁部３ｄが構成される。以下、第１側壁部３ａないし第４側壁部３ｄをまとめて単に側壁３という場合がある。また、袋１には、側壁３の基部に、第１底部形成部２１ないし第６底部形成部２６のそれぞれによって、底部４が形成され、さらに、袋１には、仕切形成部１８によって、収納空間を仕切る仕切り５が形成される。
【００４３】
なお、仕切り５は、上述のように、仕切形成部１８の長手方向の長さが、各側壁形成部１１〜１４の長さと等しくなっていることから、その高さが、側壁３の高さと等しくなっている。
【００４４】
以上のように製造された袋１は、その収納空間を仕切り５によって仕切ることができるようになる。具体的には、この仕切り５は、袋１内の収納空間を仕切る仕切状態（図１、図４参照）と、この仕切状態を解除して収納空間を元に戻す解除状態（図３参照）とに状態を変更可能となる。より具体的には、この仕切り５は、袋形成用台紙２の仕切形成部１８（第１の部分１８ａおよび第２の部分１８ｂ）と第１底部形成部２１および第２底部形成部２２との間に、切れ込み６が形成されることにより、袋１の底部４から分離され、これによって、その位置を変更できるようになっている。
【００４５】
仕切り５が図１、図４に示す仕切状態にあるとき、この仕切り５（仕切形成部１８）の第１の部分１８ａが第１側壁形成部１１から第３側壁形成部１３にわたる側壁間において、袋１の収納空間を仕切って（区切って）いる。このとき、仕切り５の第２の部分１８ｂは、第１の部分１８ａに対してほぼ直角を為している。また、第２の部分１８ｂは、第１側壁３ａ（第１側壁形成部１１）に沿って、この第１側壁３ａに接触した（重なった）状態となっている。
【００４６】
すなわち、仕切り５の第１の部分１８ａは、仕切り５が仕切状態にあるとき、袋１の側壁間にわたって収納空間を仕切る仕切部となっている。また、仕切り５の第２の部分１８ｂは、仕切部である第１の部分１８ａを支持する支持部である。本実施形態では、仕切り５に、１つの仕切部および１つの支持部が設けられている。
【００４７】
仕切り５の仕切状態を解除するときには、第１の部分１８ａが第３側壁３ｃ（第３側壁形成部１３）に接触するように移動させ、第２の部分１８ｂが第４側壁３ｄ（第４側壁形成部１４）に接触するように移動させる。このとき、平面視において、仕切り５の第１の部分１８ａと第２の部分１８ｂの折れ曲がり方が、仕切状態の場合とは逆になる。また、解除状態において、仕切り５の第１の部分１８ａと第２の部分１８ｂとの間の第５境界線Ｅは、第３側壁３ｃ（第３側壁形成部１３）と第４側壁３ｄ（第４側壁形成部）との間の第１境界線Ａと一致した状態となる。
【００４８】
仕切り５のうち、仕切部である第１の部分１８ａは、仕切り５が仕切状態にあるとき、袋１の側壁間を仕切る位置（以下「仕切位置」という）にあり、仕切状態から解除状態に変更されたとき、仕切位置から袋１の側壁３（第４側壁３ｄ）に接触する位置（以下「解除位置」という）に移動する。すなわち、仕切部である第１の部分１８ａは、袋１の収納空間を仕切る仕切位置と、収納空間を元に戻す解除位置とに位置変更可能になっている。そして、この第１の部分１８ａを支持する支持部である第２の部分１８ｂは、第１の部分１８ａを、仕切位置と解除位置とに位置を変更できるように支持している。
【００４９】
以上説明した袋１によれば、仕切り５が仕切状態にあるときには、複数の物品を仕切り５によって分けられた空間ごとに分けて収納できるようになる。そして、仕切り５の仕切状態を解除して解除状態としたときには、仕切状態において仕切り５に仕切られた空間よりも大きな物品を収納することができ、収納物品の種類や大きさに応じて多様な袋１の使用が可能になる。
【００５０】
さらに、袋１は、折り畳み自在に構成され、仕切り５も袋１に応じて折り畳み自在に構成されていることから、この袋１を保管する場合に、場所をとらず、しかも不使用時に運搬等する場合においても非常に便利である。
【００５１】
また、袋１の製造方法において、側壁３を形成するための複数の側壁形成部１１〜１４と、袋１の底部４を形成するための複数の底部形成部２１〜２６と、仕切り５を形成するための仕切り形成部２８（２８ａ，２８ｂ）とを備えた袋形成用台紙２を、各側壁形成部１１〜１４および各底部形成部２１〜２６ごとに折り曲げ、各接合部３１〜３３を介して所定位置で接合して袋１を形成することにより、出来上がった袋１には、既に仕切り５が構成されている。
【００５２】
したがって、袋１が形成された後に、袋１とは別体の仕切り５を、わざわざ側壁３の内面に取り付けるといった作業をする必要がなくなり、これによって、製造工程を省略し、袋１を効率良く製造できるようになっている。
【００５３】
しかも、袋１は、長方形状の袋形成用台紙２から製造されることから、袋成型用台紙２を複雑な形状で構成しなくてもよい。したがって、予め一般に用いられる所定の規格の長方形状の紙を用意するだけで袋１を容易に製造することができ、この点で特に有用である。
【００５４】
さらに、側壁形成部１１〜１４と底部形成部２１〜２６とともに仕切形成部１８を一体に設けていることから、袋１を製造するための部材を袋形成用台紙２のみの１部材とすることができ、この点において、袋１の製造工程を簡略化するとともに、袋１を製造するための部材（袋形成用台紙２）の管理面においても効率の良いものになる。
【００５５】
また、袋形成用台紙２は、仕切形成部１８と、第１底部形成部２１、第２底部形成部２２とを分離するための切れ込み６を入れるだけで、この袋形成用台紙２を部分的に切断することなしに、袋１を構成することができる。すなわち、この袋形成用台紙２は、切断されたときの切り屑等を一切出さずに袋１に形成され、余計なゴミを出さないという点で特に有用なものである。
【００５６】
また、仕切形成部１８の中途部に貫通孔、開口部等を設けることで、袋１に収納された収納物を、この貫通孔、開口部等によって係止できるようになる。したがって、例えば、液体の入った容器を袋１に収納する場合に、この容器の転倒を防止できるようになり、この点において特に有用である。
【００５７】
図９は、袋１の第２実施形態を示している。この第２実施形態では、仕切形成部１８の構成が第１実施形態と異なる。第１実施形態では、仕切り５の高さと側壁３の高さが同じであったが、この第２実施形態では、仕切り５の高さが側壁３の高さよりも低くなっている。図９に示すように、仕切形成部１８は、第１実施形態と同様に、第１の部分１８ａ、第２の部分１８ｂを有しており、これらと第１底部形成部２１および第２底部形成部２２との間の第１０境界線Ｊと一致して切れ込み６が形成されているが、この切れ込み６とは別の切れ込み８が、第１の部分１８ａおよび第２の部分１８ｂの中途部に形成されている。
【００５８】
この切れ込み８を形成するとともに、この仕切形成部１８において、この切れ込み８よりも上方の部分を第３側壁形成部１３および第４側壁形成部１４の内面に固着することにより、この切れ込み８よりも下方の部分が仕切り５として構成される。すなわち、この第２実施形態では、仕切形成部１８において前記切れ込み８よりも上方の部分が分離されることにより、袋１に形成される仕切り５が、前記分離された分だけその高さが低くなるのである。
【００５９】
第２実施形態のその他の構成および製造方法は、第１実施形態と同様であり、第２実施形態が第１実施形態と共通する部分には、共通符号を付してその説明を割愛する。この第２実施形態においても、第１実施形態と同様の作用効果を奏する。
【００６０】
図１０〜図１２は、本発明に係る袋１の第３実施形態を示している。上述した第１、第２実施形態では、袋１に１つの仕切り５が形成された例を示したが、この第２実施形態では、袋１に複数の仕切り５を形成できる。本実施形態では、袋１に２つの仕切り５ａ、５ｂを形成する例を説明する。
【００６１】
図１０に示すように、袋１を形成するための袋形成用台紙２は、４つの側壁形成部１１〜１４と、９つの底部形成部２１〜２９と、２つの仕切形成部４１、４２と、第１実施形態と同様な３つの接合部３１〜３３を備える。以下、４つの側壁形成部のそれぞれを、第１実施形態と同様に、第１側壁形成部ないし第４側壁形成部という。また、９つの底部形成部を、それぞれ第１底部形成部ないし第９底部形成部という。また、２つの仕切形成部を、それぞれ第１仕切形成部４１、第２仕切形成部４２という。また、３つの接合部３１〜３３を第１実施形態と同様に、第１接合部３１ないし第３接合部３３という。
【００６２】
また、袋形成用台紙２には、第１実施形態と同様に、各側壁形成部１１〜１４を区切る第１境界線Ａ、第４側壁形成部１４と第１接合部３１とを区切る第２境界線Ｂ、第１側壁部１１と仕切形成部（第１仕切形成部）とを区切る第３境界線Ｃ、仕切形成部（第２仕切形成部４２）と第２接合部３２とを区切る第４境界線Ｄ、後述する仕切形成部（第１仕切形成部４１、第２仕切形成部４１）の第１の部分４１ａ，４２ａと第２の部分４１ｂ，４２ｂを区切る第５境界線Ｅ、第１接合部３１および第２接合部３２と、第３接合部３３とを区切る第６境界線Ｆ、底部形成部（第１底部形成部２１、第９底部形成部２９）と第３接合部３３とを区切る第７境界線Ｇ、各底部形成部２１〜２９を区切る第８境界線Ｈ、各側壁形成部１１〜１４と、対応する底部形成部２６〜２９とを区切る第９境界線Ｉ、および、各仕切形成部４１，４２と、対応する底部形成部（第１底部形成部２１ないし第５底部形成部２５）とを区切る第１０境界線Ｊが形成されている。
【００６３】
本実施形態では、袋形成用台紙２において、第１側壁形成部１１ないし第４側壁形成部１４のそれぞれに対応して、第６底部形成部２６ないし第９底部形成部２９が設けられている。
【００６４】
第１仕切形成部４１は、第２仕切形成部４２と第１側壁形成部１１との間に設けられており、第１実施形態の仕切形成部２８と同様に、第１の部分４１ａ、および第２の部分４１ｂを有している。第１仕切形成部４１の第１の部分４１ａと第２の部分４１ｂは第５境界線Ｅによって区切られている。また、本実施形態において、第１の部分４１ａの幅と第２の部分４１ｂの幅は等しくなっている。また、第１の部分４１ａの幅、第２の部分４１ｂの幅は、袋形成用台紙２が筒状に構成されたときの、第１側壁形成部１１と第３側壁形成部１３との離間間隔、すなわち、袋１の第１側壁３ａと第３側壁３ｃとの離間間隔とほぼ等しくなっている。換言すれば、この第１の部分４１ａの幅、第２の部分４１ｂの幅は、第１側壁形成部１１と第３側壁形成部１３とを離間させる第２側壁形成部１２または第４側壁形成部１４の幅（第２側壁３ｂまたは第４側壁３ｄの幅）とほぼ等しくなっている。
【００６５】
また、第２仕切形成部４２も第１仕切形成部４１と同様に、第１の部分４２ａおよび第２の部分４２ｂを有している。第２仕切形成部４２の第１の部分４２ａと第２の部分４２ｂとは、その幅が等しくされており、これらは、第１仕切形成部４１の場合と同様に、第５境界線Ｅによって区切られている。また、この第２仕切形成部４２の第２の部分４２ｂの幅方向の端部には、第２接合部３２が設けられている。
【００６６】
第１仕切形成部４１と第２仕切形成部４２との間には、これらの仕切形成部４１，４２を連結するとともに、これらの仕切形成部４１，４２を側壁３に固定するために側壁形成部（例えば第３側壁形成部１３）に接合される接合部（以下「第４接合部」という）３４が形成されている。第４接合部３４は、第１仕切形成部４１の第１の部分４１ａと第２仕切形成部４２の第１の部分４２ａとを連結している。本実施形態において、第４接合部３４は、その幅が、第１仕切形成部４１、第２仕切形成部４２の第１の部分４１ａまたは第２の部分４１ｂの幅とほぼ等しくなっている。この第４接合部３４は、図１１、図１２に示すように、接着剤等の固着手段を介して、第３側壁形成部１３の一方の面（内面）に接合されている。
【００６７】
また、袋形成用台紙２には、この第４接合部３４と、第１仕切形成部４１および第２仕切形成部４２とを区切る境界線（以下「第１１境界線」という）Ｋが設けられている。具体的には、第１１境界線Ｋは、第４接合部３４と第１仕切形成部４１の第１の部分４１ａとの間、および第４接合部３４と第２仕切形成部４２の第１の部分４２ａとの間に表されている。
【００６８】
なお、本実施形態では、第１仕切形成部４１の第１の部分４１ａに第４底部形成部２４が対応し、その第２の部分４１ｂに、第５底部形成部２５が対応している。また、第２仕切形成部４２の第１の部分４２ａに第２底部形成部が対応し、その第２の部分４２ｂに第１底部形成部２１が対応している。また、第４接合部３４には、第３底部形成部２３が対応している。
【００６９】
また、袋形成用台紙２には、第１実施形態と同様に、第１仕切形成部４１、第２仕切形成部４２と、底部形成部（第１底部形成部、第２底部形成部、第４底部形成部、および５底部形成部）との間に、切れ込み６が形成されている。この切れ込み６は、第１０境界線Ｊに沿って形成されている。これにより、第１仕切形成部４１と第２仕切形成部４２とは、対応する底部形成部２１，２２，２４，２５から分離されている。なお、この切れ込みは、第４接合部３４と第３底部形成部２３との間に形成されてもよいが、形成されていなくてもよい。
【００７０】
以下、第３実施形態に係る袋１の製造方法について説明する。
【００７１】
まず、第１実施形態と同様に、第１側壁形成部１１と第２側壁形成部１２とがほぼ直角となるように、袋形成用台紙２を、その間の第１境界線Ａの位置で折り曲げる。同様に、第２側壁形成部１２と第３側壁形成部１３とがほぼ直角となるように、その間の第１境界線Ａの位置で袋形成用台紙２を折り曲げる。
【００７２】
次に、第１側壁形成部１１と、第１仕切形成部４１の第２の部分４１ｂとがほぼ直角となるように、その間の第３境界線Ｃの位置で袋形成用台紙２を折り曲げる。そして、第２仕切形成部４２の第１の部分４２ａと第２の部分４２ｂとがほぼ直角となるように、その間の第５境界線Ｅの位置で、袋形成用台紙２を折り曲げる。さらに、この第２仕切形成部４２の第２の部分４２ｂと第２接合部３２とがほぼ直角となるように、その間の第４境界線Ｄの位置で袋形成用台紙２を折り曲げる。同様に、この第２接合部３２に対応する第３接合部３３と第１底部形成部２１とがほぼ直角となるように、その間の第７境界線Ｇの位置で袋形成用台紙２を折り曲げる。
【００７３】
そして、第３側壁形成部１３と第４側壁形成部１４とがほぼ直角となるように、その間の第１境界線Ａの位置で袋形成用台紙２を折り曲げる。さらに、第４側壁形成部１４と、第１接合部３１とがほぼ直角となるように、その間の第２境界線Ｂの位置で袋形成用台紙２を折り曲げる。
【００７４】
次に、第２仕切形成部４２と第２接合部３２の間の第４境界線Ｄを第１側壁形成部１１と第２側壁形成部１２との間の第１境界線Ａと一致させ、第１接合部３１を、第１側壁形成部１１の一方の面（内面）に接着剤等により接合し、第１底部形成部２１側の第３接合部３３を、第１側壁形成部１１に対応する第６底部形成部２６の一方の面（内面）に接着剤等により接合する。
【００７５】
そして、第１仕切形成部４１および第２仕切形成部４２を第２側壁形成部１２、第３側壁形成部１３、および第４側壁形成部１４によって覆うようにし、第３側壁形成部１３と第４側壁形成部１４との間の第１境界線Ａを、第１仕切形成部４１の第１の部分４１ａと第２の部分４１ｂとを区切る第５境界線Ｅに一致させる。さらに、第４側壁形成部１４と第１接合部３１との間の第２境界線Ｂを、第１側壁形成部１１と第１仕切形成部４１との間の第３境界線Ｃに一致させ、第１接合部３１を第１側壁形成部１１の他方の面（外面）に、接着剤等によって接合する。同様に、第９底部形成部２９側の第３接合部３３を第６底部形成部２６の他方の面（外面）に接着剤等により接合する。
【００７６】
このとき、第４接合部３４の一方の面にも接着剤等を塗布しておき、この第４接合部３４を第３側壁形成部１３の一方の面（内面）に接合する。
【００７７】
以上により、袋形成用台紙２は、第１底部形成部１１と第４底部形成部１４とが第１接合部３３によって繋がれ、第６底部形成部２６と第９底部形成部２９とが第３接合部３３によって繋がれることにより、四角筒状に構成される。
【００７８】
次に、第１実施形態と同様に、袋１を折り畳み自在に構成すべく、四角筒状の袋形成用台紙２の第２側壁形成部１２、第４側壁形成部１４に折り目をつけた後、図５〜図８に示すように、底部形成部２１〜２９を所定の手順で折り曲げて、閉塞部３５を介して袋形成用台紙２の基部を閉塞することで底部４を形成させ、以上によって袋１が完成する。
【００７９】
完成した袋１の内側には、第２接合部３２が第１側壁形成部１１に接合され、そして、第４接合部３４が第３側壁形成部１３に接合されることにより、第１仕切形成部４１による仕切り（以下「第１仕切り」という）５ａと、第２仕切形成部４２による仕切り（以下「第２仕切り」という）５ｂの２つの仕切り５ａ，５ｂが形成される。各仕切り５ａ，５ｂは、収納空間を仕切る仕切状態と、この仕切状態を解除する解除状態とに状態を変更可能に構成される。各仕切り５ａ、５ｂは、第１実施形態、第２実施形態と同様に、第１の部分４１ａ，４２ａが袋１の側壁間にわたって収納空間を仕切る仕切部となり、第２の部分４１ｂ，４２ｂが仕切部を支持する支持部となっている。
【００８０】
第１仕切り５ａおよび第２仕切り５ｂが仕切状態にあるとき、図１２に示すように、各仕切り５ａ，５ｂの第１の部分４１ａ，４２ａが、第１側壁３ａから第３側壁３ｃにわたる側壁間を仕切り、これによって袋１の元々の収納空間が３つの小さな収納空間に区切られる。
【００８１】
このとき、第１仕切り５ａの第２の部分４１ｂは、第１側壁３ａ（第１側壁形成部１１によって形成された側壁）の内面に接触した（重なった）状態となり、第２仕切り５ｂの第２の部分４２ｂも同様に、第１側壁３ａの内面に接触した（重なった）状態となる。このとき、各第２の部分４１ｂ，４２ｂは、各第１の部分４１ａ，４２ａに対してほぼ直角を為している。また、各仕切り５ａ，５ｂが仕切状態にあるとき、第１仕切り５ａと第２仕切り５ｂとは所定の間隔で離間された状態となる。この第１仕切り５ａと第２仕切り５ｂとの間隔は、第４接合部３４の幅（幅方向の長さ）に等しい。
【００８２】
第１仕切り５ａの状態を仕切状態から解除状態へと変更したとき、図１１に示すように、第１仕切り５ａ（第１仕切形成部４１）は、第１の部分４１ａが第３側壁３ｃの内面に接触し（重なり）、第２の部分４１ｂが第４側壁３ｄの内面に接触した（重なった）状態となる。このとき、第１の部分４１ａと第２の部分４１ｂの間の第５境界線Ｅは、第３側壁３ｃ（第３側壁形成部１３）と第４側壁３ｄ（第４側壁形成部１４）との間の第１境界線Ａと一致した状態となる。また、このとき、第１仕切り５ａの第１の部分４１ａと第２の部分４１ｂは、ほぼ直角を為して折れ曲がった状態となるが、その曲がり方は、仕切状態における曲がり方とは逆になる。
【００８３】
また、第２仕切り５ｂの状態を仕切状態から解除状態に変更したとき、図１１に示すように、第２仕切り５ｂ（第２仕切形成部４２）は、第１の部分４２ａが、第３側壁３ｃの内面に接触し（重なり）、第２の部分４２ｂが第２側壁３ｂの内面に接触した（重なった）状態となる。このとき、第１の部分４２ａと第２の部分４２ｂの間の第５境界線Ｅは、第３側壁３ｃ（第３側壁形成部１３）と第２側壁３ｂ（第２側壁形成部１２）との間の第１境界線Ａと一致した状態となる。また、このとき、第２仕切り５ｂ（第２仕切形成部４２）の第１の部分４２ａと第２の部分４２ｂは、ほぼ直角を為して折れ曲がった状態となるが、その曲がり方は仕切状態における曲がり方とは逆になる。
【００８４】
上記の袋１および袋１の製造方法によれば、第１実施形態と同様の作用効果を奏する他、袋１の収納空間を仕切る２つの仕切り５ａ，５ｂが設けられることにより、多数種類の収納物品を種類別に分けて収納できるようになる。
【００８５】
なお、袋１に形成される仕切りの数は２に限らず、３以上であってもよい。例えば、袋１に３つの仕切りを形成する場合には、上記のように、袋形成用台紙２に、第１仕切形成部４１および第２仕切形成部４２を形成するとともに、第２仕切形成部４２に、さらに、第３仕切形成部を一体に形成しておく。
【００８６】
この場合において、第２仕切形成部４２に一体に形成されていた第２接合部３２を、この第３仕切形成部の幅方向の端部に一体に形成する。さらに、このとき、第１仕切形成部４１と第２仕切形成部４２とを連結する第４接合部３４と同様な接合部（以下「第５接合部」という）を第２仕切形成部４２と第３仕切形成部との間に形成し、この第５接合部を第４接合部３４と同様に、第３側壁３ａの内面に接合する。このように、袋１に形成したい仕切りの数に応じて、接合部と仕切形成部の数を増加させることにより、所望の数の仕切りを袋１に形成することができる。
【００８７】
図１３〜図１５は、本発明の第４実施形態を示している。本実施形態に係る袋形成用台紙２は、第１実施形態と同様に、複数の側壁形成部１１〜１５と、複数の底部形成部２１〜２８と、仕切形成部１８とを有する。
【００８８】
袋形成用台紙２には、５つの側壁形成部１１〜１５が設けられており、それぞれを第１側壁形成部１１ないし第５側壁形成部１５という。各側壁部１１〜１５は、第１実施形態と同様に、第１境界線Ａによって区切られている。各側壁形成部１１〜１５は、第１側壁形成部１１から第５側壁形成部１５の順に、袋形成用台紙２の横方向に沿って一体に繋がって形成されている。また、第５側壁形成部１５の幅方向の一端部には、この第５側壁形成部１５を他の側壁形成部に固定するための接合部（以下、第１実施形態と同様に「第１接合部」という）３１が設けられている。
【００８９】
第５側壁形成部１５と第１接合部３１とは、第２境界線Ｂによって区切られている。また、第１側壁形成部１１の幅方向の一端部には、仕切形成部１８が一体に繋がって形成されている。この第１側壁形成部１１と仕切形成部１８とは、第３境界線Ｃによって区切られている。
【００９０】
また、本実施形態では、第２側壁形成部１２の幅と、第４側壁形成部１４の幅とがほぼ等しくされている。また、第３側壁形成部１３の幅が最も大きくなっており、しかも、第１側壁形成部１１の幅と第５側壁形成部１５の幅との和が、この第３側壁形成部１３の幅とほぼ等しくなっている。
【００９１】
また、袋形成用台紙２には、８つの底部形成部２１〜２８が設けられており、それぞれを第１底部形成部２１ないし第８底部形成部２８という。各底部形成部２１〜２８は、第１実施形態と同様に、第８境界線Ｈによって区切られている。
【００９２】
また、仕切形成部は、幅方向の所定位置において、第５境界線Ｅによって３つの部分に区切られている。この部分のそれぞれを、第１の部分１８ａないし第３の部分１８ｃという。本実施形態では、第１の部分１８ａの幅と第３の部分１８ｃの幅とがほぼ等しくされている。また、第１の部分１８ａと第３の部分１８ｃとの間に位置する第２の部分１８ｂの幅は、第１の部分１８ａ、第２の部分１８ｂの幅より大きくなっている。そして、この第２の部分１８ｂの幅は、第２側壁形成部１２、第４側壁形成部１４の幅とほぼ等しくなっている。
【００９３】
仕切形成部１８の第１の部分１８ａの幅方向の端部には、第１実施形態と同様にこの仕切形成部１８を固定するための第２接合部３２が形成されている。この第１の部分１８ａと第２接合部３２は、第４境界線Ｄによって区切られている。また、仕切形成部１８の第３の部分１８ｃは、第１側壁形成部１１と繋がっている。
【００９４】
また、第１底部形成部２１の幅方向の一端部、および第８底部形成部２８の幅方向の一端部には、第１実施形態と同様な第３接合部３３が形成されている。第１底部形成部２１および第８底部形成部２８と、第３接合部３３は、第１実施形態と同様に第７境界線Ｇによって区切られている。
【００９５】
この第３接合部３３は、第１実施形態と同様に、第８底部形成部２８側の第３接合部３３が、第６境界線Ｆを挟んで第１接合部３１と一体に繋がって設けられており、第１底部形成部２１側の第３接合部３３が第６境界線Ｆを挟んで第２接合部３２と一体に繋がって設けられている。
【００９６】
また、本実施形態では、第１底部形成部２１が仕切形成部１８の第１の部分１８ａに対応してこれと繋がって形成されており、第２底部形成部２２が、仕切形成部１８の第２の部分１８ｂに、そして、第３底部形成部２３が第３の部分１８ｃに対応して繋がって形成されている。また、第４底部形成部２４ないし第８底部形成部２８が、それぞれ、第１側壁形成部１１ないし第５側壁形成部１５に対応して繋がって形成されている。
【００９７】
また、第１側壁形成部１１ないし第５側壁形成部１５と、これらに対応する第４底部形成部２４ないし第８底部形成部２８とは、第９境界線Ｉによって区切られている。また、仕切形成部１８の第１の部分１８ａないし第３の部分１８ｃと、これらに対応する第１底部形成部２１ないし第３底部形成部２３とは、第１０境界線Ｊによって区切られている。
【００９８】
また、第１実施形態と同様に、仕切形成部１８（第１の部分１８ａないし第３の部分１８ｃ）と、これに対応する第１底部形成部２１ないし第３底部形成部２３との間には、仕切形成部１８を第１底部形成部２１ないし第３底部形成部２３から分離させるべく、第１０境界線Ｊに沿って、切れ込み６が設けられている。
【００９９】
以下、本実施形態に係る袋形成用台紙２を用いて袋１を製造する方法について説明する。
【０１００】
まず、第１実施形態と同様に、袋形成用台紙２の第１側壁形成部１１と第２側壁形成部１２とがほぼ直角となるように、その間の第１境界線Ａの位置で袋形成用台紙２を折り曲げる。そして、第２側壁形成部１２と第３側壁形成部１３とがほぼ直角となるように、その間の第１境界線Ａの位置で折り曲げる。これにより、第１側壁形成部１１ないし第３側壁形成部１３の部分が平面視でコ字状に構成される。
【０１０１】
次に、第４側壁形成部１４と第５側壁形成部１５とがほぼ直角となるように、その間の第１境界線Ａの位置で袋形成用台紙２を折り曲げる。これにより、第３底部形成部２３ないし第５底部形成部１５が平面視においてコ字状に構成される。
【０１０２】
次に、仕切形成部１８の第２の部分１８ｂと、第３の部分１８ｃとがほぼ直角となるように、その間の第５境界線Ｅの位置で仕切形成部１８を折り曲げる。そして、仕切形成部１８の第２の部分１８ｂと第１の第１の部分１８ａとがほぼ直角となるように、その間の第５境界線Ｅの位置で、仕切形成部１８を折り曲げる。これによって、仕切形成部１８の第１の部分１８ａないし第３の部分１８ｃは、平面視コ字状に折り曲げられる。
【０１０３】
次に、この仕切形成部１８を第４側壁形成部１４および第５側壁形成部１５によって覆うようにするとともに、第２接合部３２に接着剤等を塗布し、この第２接合部３２を第３側壁形成部１３の一方の面（内面）に接合する。同様に、第１底部形成部２１側の第３接合部３３に、接着剤等を塗布し、この第３接合部３３を、第３側壁形成部１３に対応している第６底部形成部２６に接合する。
【０１０４】
そして、第１接合部３１にも接着剤等を塗布し、この第１接合部３１を第１側壁形成部１１に接合する。同様に、第８底部形成部２８側の第３接合部３３に接着剤等を塗布し、第１側壁形成部１１に対応する第４底部形成部２４に接合する。これにより、第５側壁形成部１５と第１側壁形成部１１とが第１接合部３１を介して繋がれ、第８底部形成部２８と第４底部形成部２４とが第３接合部３３を介して繋がれた状態となる。
【０１０５】
このように、第１接合部３２を介して第１側壁形成部１１と第５側壁形成部１５とを繋げるとともに、第２接合部３２を第３側壁形成部１３に接合することで、袋形成用台紙２は、第１側壁形成部１１ないし第５側壁形成部１５によって筒状（四角筒状）に形成されるとともに、仕切形成部１８がこの筒状となされた袋形成用台紙の内側に固定される。
【０１０６】
次に、第１実施形態と同様に、第１底部形成部２１ないし第８底部形成部２８を所定の手順で折り曲げ、閉塞部３５（図７、図８参照）を形成するとともに、この閉塞部３５を介して筒状の袋形成用台紙２の一端部を閉塞することにより、袋１が完成する。なお、この袋１は、第１実施形態と同様に折り畳み自在に構成されることが望ましい。
【０１０７】
完成した袋は、第１側壁形成部１１と、これに繋がった第５側壁形成部とによって、袋の第１側壁３ａが構成され、第２側壁形成部１２ないし第４側壁形成部１４によって、袋１の第２側壁３ｂないし第４側壁３ｄが構成される。
【０１０８】
完成した袋１は、仕切形成部１８によって形成された仕切り５が、この袋１の収納空間を仕切る仕切状態と、この仕切状態を解除する解除状態とに状態を変更できるようになる。すなわち、仕切り５が仕切状態にある場合、図１５に示すように、この仕切り５（仕切形成部１８）の第２の部分１８ａが、第１側壁３ａから第３側壁３ｃにわたって袋１の収納空間を仕切り、これによって、袋１には、元々の収納空間よりも小さな２つの収納空間ができる。
【０１０９】
このとき、仕切り５（仕切形成部１８）の第１の部分１８ａは、第３側壁３ｃの内面に接した状態となる。換言すれば、仕切り５の第１の部分１８ａは、第２接合部３２に対する角度がほぼ０°となるように折り曲げられる。
【０１１０】
そして、仕切り５（仕切形成部１８）の第３の部分１８ｃは、第１側壁３ａの内面に接した状態となる。より具体的には、第３の部分１８ｃは、第１側壁３ａを構成する第１側壁形成１１の内面に接した状態となる。換言すれば、仕切り５の第３の部分１８ｃは、第１側壁３ａ（第１側壁形成部１１）に対する角度がほぼ０°となるように折り曲げられる。
【０１１１】
このとき、仕切り５の第１の部分１８ａと第２の部分１８ｂは、ほぼ直角となり、同様に、第３の部分１８ｃと第２の部分１８ｂもほぼ直角となる。
【０１１２】
この仕切状態から解除状態へと仕切り５の状態を変更したとき、図１４に示すように、仕切り５の第１の部分１８ａは、第２接合部３２に対する角度がほぼ１８０°となった状態で、第３側壁３ｃの内面に接した状態となる。また、仕切り５の第２の部分１８ｂは、第４側壁３ｄの内面に接した状態となる。また、仕切り５の第３の部分１８ｃは、第１側壁３ａのうち、第１側壁形成部１１に相当する部分に対する角度がほぼ１８０°となった状態で、第１側壁３ａの内面に接した状態となる。より具体的には、この第３の部分１８ｃは、第１側壁３ａのうち、第５側壁形成部１５に相当する部分の内面に接触した状態となる。
【０１１３】
このとき、仕切り５の第１の部分１８ａと第２の部分１８ｂはほぼ直角となり、同様に、第３の部分１８ｃと第２の部分１８ｂとほぼ直角となる。
【０１１４】
仕切り５が仕切状態と解除状態とに状態を変更する際の作用を説明する。仕切り５を解除状態から仕切状態に変更する場合、第４側壁４ｄに接している仕切り５の第２の部分１８ｂを、この第４側壁４ｄから離れるように移動させる。このとき、第２の部分１８ｂに繋がっている第１の部分１８ａおよび第３の部分１８ｃもそれぞれ第１側壁３ａ、第３側壁３ｃから離れる。そして、仕切り５の第１の部分１８ａは、第２接合部３２との間の第４境界線Ｄの位置を基点として、第２接合部３２との角度がほぼ０°となるように、すなわち、この第２接合部３２に接するように回動する。
【０１１５】
第３の部分１８ｃは、第１側壁３ａのうち、第１側壁形成部１１に相当する部分との間の第３境界線Ｃの位置を基点として、この第１側壁形成部１１との角度がほぼ０°となるように、すなわち、この第１側壁形成部１１に接するように回動する。
【０１１６】
このように、仕切り５の第１の部分１８ａおよび第３の部分１８ｃを回動させることによって、これらと繋がる第２の部分１８ｂは、袋１の中央付近に移動する。なお、袋１は紙製であるので、この第２の部分１８ｂの移動に際して、この第２の部分１８ｂが移動し易いように、第１の部分１８ａないし第３の部分１８ｃは適宜変形する。
【０１１７】
仕切り５の第１の部分１８ａが第２接合部３２および第３側壁３ｃに接触し、第３の部分１８ｃが第１側壁３ａの第１側壁形成部１１の部分に接触し、これらと第２の部分１８ｂがほぼ直角を為す位置にきたとき、仕切り５は仕切状態となる。
【０１１８】
仕切り５を仕切状態から解除状態に変更する場合には、第１の部分１８ａが第２接合部３２とほぼ１８０°をなすように回動させ、第３の部分１８ｃが第１側壁３ａの第１側壁形成部１１の部分とほぼ１８０°をなすように回動させる。そして、第２の部分１８ｂを第４側壁４ｄの内面に接触させるように移動させる。
【０１１９】
なお、本実施形態では、仕切り５（仕切形成部１８）の第２の部分１８ｂが、袋１の側壁間にわたって収納空間を仕切る仕切部となっており、第１の部分１８ａおよび第３の部分１８ｃが第１の部分１８ｂを支持する支持部となっている。すなわち、本実施形態では、仕切り５に、１つの仕切部と、２つの支持部が設けられている。
【０１２０】
本実施形態におけるその他の構成は、第１実施形態と同様であり、本実施形態が第１実施形態と共通する部分には共通符号を付してその説明を割愛する。本実施形態においても、第１実施形態と同様の作用効果を奏する。
【０１２１】
図１６〜図１８は、本発明の第５実施形態を示している。本実施形態に係る袋形成用台紙２は、５つの側壁形成部（以下、それぞれを、「第１側壁形成部」ないし「第５側壁形成部」という）１１〜１５と、７つの底部形成部（以下、それぞれを、「第１底部形成部」ないし「第７底部形成部」という）２１〜２７と、仕切形成部１８とを有する。
【０１２２】
本実施形態では、第４実施形態と同様に、第５側壁形成部１５の幅方向の一端部に第１接合部３１が形成されており、仕切形成部１８の幅方向の一端部に、第２接合部３２が形成されている。また、本実施形態に係る袋形成用台紙２は、第１底部形成部２１の幅方向の一端部、および第７底部形成部の幅方向の一端部に、第３接合部３３が形成されている。
【０１２３】
仕切形成部１８は、第１実施形態と同様に、第１の部分１８ａおよび第２の部分１８ｂを有する。仕切形成部１８の第１の部分１８ａには第２接合部３２が繋がって形成されており、第２の部分１８ｂは、第１側壁形成部１１と繋がって形成されている。
【０１２４】
また、本実施形態では、この仕切形成部１８の第１の部分１８ａに第１底部形成部２１が対応して設けられ、第２の部分１８ｂに第２底部形成部２２が対応して設けられている。そして、第１側壁形成部１１ないし第５側壁形成部１５のそれぞれには、第３底部形成部２３ないし第７底部形成部２７が対応して形成されている。
【０１２５】
また、袋形成用台紙２には、各側壁形成部１１〜１５同士を区切る第１境界線Ａ、第５側壁形成部１５と第１接合部３１とを区切る第２境界線Ｂ、第１側壁形成部１１と仕切形成部１８（第２の部分１８ｂ）を区切る第３境界線Ｃ、仕切形成部１８の第１の部分１８ａと第２接合部３２とを区切る第４境界線Ｄ、仕切形成部１８の第１の部分１８ａと第２の部分１８ｂとを区切る第５境界線Ｅ、第１接合部３１、第２接合部３２と、第３接合部３３とを区切る第６境界線Ｆ、第１底部形成部２１、第７底部形成部２７と、第３接合部３３とを区切る第７境界線Ｇ、各底部形成部２１〜２７同士を区切る第８境界線Ｈ、第１側壁形成部１１ないし第５側壁形成部１５、これらに対応する第３底部形成部２３ないし第７底部形成部２７とを区切る第９境界線Ｉ、仕切形成部１８の第１の部分１８ａ、第２の部分１８ｂ、これらに対応する第１底部形成部２１、第２底部形成部２２とを区切る第１０境界線Ｊ、が形成されている。
【０１２６】
また、袋形成用台紙２には、仕切形成部１８の第１の部分１８ａおよび第２の部分１８ｂを、これらに対応する第１底部形成部２１、第２底部形成部２２から分離すべく、その間の第１０境界線Ｊに沿って切れ込み６が形成されている。
【０１２７】
以下、本実施形態に係る袋形成用台紙２を用いて袋１を形成する方法を説明する。
【０１２８】
まず、第４実施形態と同様に、袋形成用台紙２の第１側壁形成部１１と第２側壁形成部１２とがほぼ直角となるように、その間の第１境界線Ａの位置で袋形成用台紙２を折り曲げる。そして、第２側壁形成部１２と第３側壁形成部１３とがほぼ直角となるように、その間の第１境界線Ａの位置で折り曲げる。これにより、第１側壁形成部１１ないし第３側壁形成部１３の部分が平面視でコ字状に構成される。
【０１２９】
次に、第４側壁形成部１４と第５側壁形成部１５とがほぼ直角となるように、その間の第１境界線Ａの位置で袋形成用台紙２を折り曲げる。
【０１３０】
次に、仕切形成部１８の第１の部分１８ａと第２の部分１８ｂとがほぼ直角となるように、その間の第５境界線Ｅの位置で仕切形成部１８を折り曲げる。そして、第１の部分１８ａに繋がっている第２接合部３２に接着剤等を塗布するとともに、この第２接合部３２を第４側壁形成部１４の一方の面（内面）に接合する。これにより、仕切形成部１８は、第１側壁形成部１１と第４側壁形成部１４とに繋がった状態になる。同様に、第１の部分１８ａに対応している第１底部形成部２１側の第３接合部３３に接着剤等を塗布するとともに、この第３接合部３３を第４側壁形成部１４に対応する第６底部形成部２６の一方の面（内面）に接合する。
【０１３１】
そして、第５側壁形成部１５を仕切形成部１８の第２の部分１８ｂに重ねるようにし、第１接合部３１に接着剤等を塗布するとともに、この第１接合３１を第１側壁形成部１１に接合する。同様に、第７底部形成部２７側の第３接合部３３に接着剤等を塗布するとともに、この第３接合部３３を第１側壁形成部１１に対応している第３底部形成部２３に接合する。これにより、第１側壁形成部１１と第５側壁形成部１５とが第１接合部３１を介して繋がり、第３底部形成部２３と第７底部形成部２７とが第３接合部３３を介して繋がった状態となり、袋形成用台紙２は、筒状（四角筒状）に構成されることになる。
【０１３２】
次に、第１実施形態と同様に、第１底部形成部２１ないし第８底部形成部２８を所定の手順で折り曲げ、閉塞部３５（図７、図８参照）を形成するとともに、この閉塞部３５を介して筒状の袋形成用台紙２の一端部を閉塞することにより、袋１が完成する。なお、この袋１は、第１実施形態と同様に折り畳み自在に構成されることが望ましい。完成した袋１は、第１側壁形成部１１と、これに繋がった第５側壁形成部とによって、袋の第１側壁３ａが構成され、第２側壁形成部１２ないし第４側壁形成部１４によって、袋１の第２側壁３ｂないし第４側壁３ｄが構成される。
【０１３３】
完成した袋１は、仕切形成部１８によって形成された仕切り５が、この袋１の収納空間を仕切る仕切状態と、この仕切状態を解除する解除状態とに状態を変更できるようになる。すなわち、仕切り５が仕切状態にある場合、図１８に示すように、仕切り５の第１の部分１８ａと第２の部分１８ｂとがほぼ直角を為した状態で、第１側壁３ａと第４側壁３ｄの側壁間にわたって、袋１の収納空間を仕切り、この袋１内には、大きな収納空間とこの収納空間よりも小さな収納空間の２つの収納空間が形成される。具体的には、袋１の第１側壁３ａのうち、第１側壁形成部１１に相当する部分と、第２側壁３ｂと、第３側壁３ｃと、第４側壁４ｄの一部と、仕切り５によって、大きな収納空間が形成され、第１側壁３ａのうち、第５側壁形成部１５に相当する部分と、第４側壁４ｄの一部と、仕切り５によって小さな収納空間が形成される。
【０１３４】
上述した第１の実施形態では、仕切り５がほぼ平行で互いに対向する第１側壁３ａと第３側壁３ｃとの側壁間で収納空間を仕切るものであったが、本実施形態では、ほぼ直角を為す第１側壁３ａと第４側壁３ｄとの側壁間にわたって収納空間を仕切ることができる。
【０１３５】
また、上述した第１実施形態では、仕切り５に１つの仕切部（第１の部分１８ａ）と、１つの支持部（第２の部分１８ｂ）が設けられていたが、本実施形態では、第１の部分１８ａと第２の部分１８ｂの両方が、収納空間を仕切る仕切部となっている。すなわち、本実施形態では、仕切り５に２つの仕切部が設けられている。そして、本実施形態における仕切り５には、第１実施形態のような仕切部を支持する支持部が設けられていない。
【０１３６】
本実施形態におけるその他の構成は、第１実施形態と同様であり、本実施形態が第１実施形態と共通する部分には共通符号を付してその説明を割愛する。本実施形態においても、第１実施形態と同様の作用効果を奏する。
【０１３７】
図１９は、本発明の第６実施形態を示している。本実施形態は、上述した第１実施形態ないし第５実施形態に係る袋１について、さらなる機能を付加するものである。本実施形態に係る袋１には、上述した仕切り５（図示略）の他に、収納空間に収納された物品を支持する支持手段４５が設けられている。支持手段４５には、図１９（ａ）に示すように、袋形成用台紙２とは別体とされた紙部材が用いられる。
【０１３８】
この支持手段４５は、袋形成用台紙２の側壁形成部１１〜１４に接合される接合部４６と、収納物品を支持する支持部４７とを有する。接合部４６と支持部４７との間には、これらを区切る境界線Ｘが設けられており、支持部４７は、接合部４６が側壁形成部に接合した状態において、この境界線Ｘの位置を基点として、上下動可能に構成され、袋１の側壁３の内面に沿う待機状態（図１９（ｂ）において実線で示す状態）と、側壁３の内面から突出して収納物品を支持可能な使用状態（図１９（ｂ）において二点差線で示す状態）とに、状態を変更できるようになっている。
【０１３９】
この支持部４７の中途部には、収納物品を挿通可能な挿通孔４８が貫通形成されている。この挿通孔４８は円形に形成されているが、この形状に限定されず、四角形状、楕円状その他の種々の形状に形成され得る。
【０１４０】
この支持部４７は、袋１の側壁３の内面に接合された接合部４６に対して、角度変更可能に構成されている。この支持部４７は、図１９（ｂ）において二点鎖線で示すように、ほぼ水平方向を向いた使用状態において、挿通孔４８に収納物品が挿通されることにより、収納物品が倒れないように支持できるようになっている。この支持部４７によって支持される収納物品としては、例えば、液体が入った瓶、缶、コップのようなものや、長尺状に構成されたもの等がある。支持部４７は、水平方向を向いた状態に限らず、この方向からずれた方向に突出した状態においても収納物品を支持することができる。
【０１４１】
このように、本実施形態では、袋１の収納空間を仕切り５によって仕切る仕切状態とすることによって、複数の収納物品を分けて収納し、この仕切状態を解除することによって、大きな物品をも収納できるようになるだけでなく、さらに支持手段４５を介して収納物品が倒れないように支持することができ、この点で特に有用なものになる。
【０１４２】
なお、本発明は上記の実施形態に限らず、種々の変更・変形が可能である。
【０１４３】
例えば、側壁形成部１１〜１４に、袋１の使用者の指が入る程度の大きさの孔（開口部）を形成しておき、袋１を形成したときに、この孔に指をかけて把持部とする構成を採用してもよい。これによって、袋１に収納物を収納した場合に、この袋１の保持が容易になり、しかも、側壁形成部１１〜１４に予め所定の大きさの孔を形成しておくだけで、袋１が形成されたときに自動的に把持部が構成されることになり、袋１に把持部（取っ手）を事後的に設けるといった手間を省くことができ、この点で特に有用である。勿論、本発明では、袋１が形成された後に把持部を設けるようにすることを除外するものではない。
【０１４４】
上記の実施形態では、袋形成用台紙２の材質として紙を用いたものを例示したが、これに限らず、布その他の材質の袋形成用台紙２を用いることも可能である。例えば袋形成用台紙２を布で構成した場合には、各接合部の接合は、縫い糸による縫合によってなされてもよい。すなわち、本発明において、「接合」とは、複数の部分を重ね合わせる等して、その部分を接着剤、両面テープ等による接着や、縫合等の手段（接合手段）を用いて一体に固定することをいう。
【０１４５】
上記の実施形態では、袋形成用台紙２によって形成された袋１は、折り畳み自在となったものを例示したが、本発明は、これに限らず、折り畳み自在となっていない袋１についても適用可能である。
【０１４６】
上記の実施形態において例示した境界線（第１境界線Ａないし第１１境界線Ｋ）は、所定のインクで直線的に印刷されたものでもよく、また、例えば、複数の側壁形成部１１〜１４のそれぞれに異なる色を付け、この色の違いによって生じる境界を境界線（第１境界線Ａ）として用いてもよい。また、例えば、側壁形成部１１〜１４と底部形成部２１〜２６とを分ける折り目を付けておき、この折り目を境界線（第９境界線Ｉ）として用いてもよい。また、これらの境界線には、実際に袋形成用台紙２に表されるもの以外にも、例えば、袋の製造機械によって自動的に製造される場合に、この製造工程を管理するコンピュータにおいて仮想的に引かれるものも含まれる。
【０１４７】
上記の第３実施形態では、第１仕切形成部４１と第２仕切形成部４２とを連結する第４接合部３４の幅（幅方向の長さ）が、第１仕切形成部４１の第１の部分４１ａ、第２の部分４１ｂ、第２仕切形成部４２の第１の部分４２ａ、第２の部分４２ｂの幅とほぼ等しくされた例を示したが、これに限定されない。
【０１４８】
例えば、第４接合部３４の幅を第１の部分４１ａまたは第２の部分４１ｂの幅よりも、大きくした場合には、第１仕切り５ａと第２仕切り５ｂが仕切状態にあるときの、これらの間隔を大きくすることができる。また、第４接合部３４の幅を仕切形成部４１，４２の第１の部分４１ａ，４２ａ、または第２の部分４１ｂ，４２ｂの幅よりも小さくした場合には、第１仕切り５ａと第２仕切り５ｂが仕切状態にあるときの、これらの離間間隔を小さくすることができる。
【図面の簡単な説明】
【０１４９】
【図１】第１実施形態に係る袋を示す斜視図である。
【図２】袋形成用台紙の正面図である。
【図３】仕切りが解除状態にある袋の平面図である。
【図４】仕切りが仕切状態にある袋の平面図である。
【図５】筒状に構成される袋形成用台紙の斜視図である。
【図６】袋の底部形成過程における袋形成用台紙の斜視図である。
【図７】袋の底部形成過程における袋形成用台紙の斜視図である。
【図８】底部が形成されたときの袋の斜視図である。
【図９】第２実施形態に係る袋形成用台紙の正面図である。
【図１０】第３実施形態に係る袋形成用台紙の正面図である。
【図１１】仕切りが解除状態にある袋の平面図である。
【図１２】仕切りが仕切状態にある袋の平面図である。
【図１３】第４実施形態に係る袋形成用台紙の正面図である。
【図１４】仕切が解除状態にある袋の平面図である。
【図１５】仕切が仕切状態にある袋の平面図である。
【図１６】第５実施形態に係る袋形成用台紙の正面図である。
【図１７】仕切が解除状態にある袋の平面図である。
【図１８】仕切が仕切状態にある袋の平面図である。
【図１９】第６実施形態に係る袋を示し、（ａ）は、その要部の平面図、（ｂ）は、その要部の側面断面図である。
【符号の説明】
【０１５０】
１…袋、２…袋形成用台紙、３（３ａ〜３ｄ）…側壁（第１側壁〜第４側壁）、４…底部、５（５ａ，５ｂ）…仕切り（第１仕切り、第２仕切り）、６…切れ込み、８…切れ込み、１１…第１側壁形成部、１２…第２側壁形成部、１３…第３側壁形成部、１４…第４側壁形成部、１５…第５側壁形成部、１８…仕切形成部、１８ａ…第１の部分，１８ｂ…第２の部分、１８ｃ…第３の部分、２１…第１底部形成部、２２…第２底部形成部、２３…第３底部形成部、２４…第４底部形成部、２５…第５底部形成部、２６…第６底部形成部、２７…第７底部形成部、２８…第８底部形成部、２９…第９底部形成部、３１…第１接合部、３２…第２接合部、３３…第３接合部、３４…第４接合部、３５…閉塞部、１１…第１仕切形成部、４１ａ…第１の部分、４１ｂ…第２の部分、４２…第２仕切形成部、４２ａ…第１の部分、４２ｂ…第２の部分、４５…支持手段、４６…接合部、４７…支持部、４８…挿通孔、Ａ…第１境界線、Ｂ…第２境界線、Ｃ…第３境界線、Ｄ…第４境界線、Ｅ…第５境界線、Ｆ…第６境界線、Ｇ…第７境界線、Ｈ…第８境界線、Ｉ…第９境界線、Ｊ…第１０境界線、Ｋ…第１１境界線、Ｘ…境界線
【図１】
2010018311.tif 000003
【図２】
2010018311.tif 000004
【図３】
2010018311.tif 000005
【図４】
2010018311.tif 000006
【図５】
2010018311.tif 000007
【図６】
2010018311.tif 000008
【図７】
2010018311.tif 000009
【図８】
2010018311.tif 000010
【図９】
2010018311.tif 000011
【図１０】
2010018311.tif 000012
【図１１】
2010018311.tif 000013
【図１２】
2010018311.tif 000014
【図１３】
2010018311.tif 000015
【図１４】
2010018311.tif 000016
【図１５】
2010018311.tif 000017
【図１６】
2010018311.tif 000018
【図１７】
2010018311.tif 000019
【図１８】
2010018311.tif 000020
【図１９】
2010018311.tif 000021